(57)【要約】【課題】据え付けられる室外機の傾きの調整が可能であり、しかも室外機据付台のサイズが大型化するのを抑制できる室外機据付台を提供する。【解決手段】室外機据付台１は、横フレーム１１と、一対の縦フレーム２１と、各縦フレーム２１を横フレーム１１にそれぞれ連結する一対の連結部材４１と、各縦フレーム２１の下部から前方に延びる一対のアーム３１と、各縦フレーム２１の下部に設けられた一対のアジャスター５１とを備えている。各連結部材４１は、横フレーム１１に固定される固定部４２と、縦フレーム２１の上部に接続され、縦フレーム２１を回動可能に支持する回動部４３とを含む。【選択図】図１
2011247533.tif 000002
【特許請求の範囲】
【請求項１】
壁面に室外機を据え付けるための室外機据付台であって、
略水平に配置されて前記壁面に固定される横フレーム（１１）と、
前記横フレーム（１１）から下方に延び、所定の間隔をあけて互いに略平行に配置された一対の縦フレーム（２１）と、
各縦フレーム（２１）を前記横フレーム（１１）にそれぞれ連結する一対の連結部材（４１）と、
各縦フレーム（２１）の下部から前方に延び、基端部が前記縦フレーム（２１）の下部に固定された一対のアーム（３１）と、
各縦フレーム（２１）の下部に設けられ、前記壁面と各縦フレーム（２１）の下部との間隔をそれぞれ調整可能な一対のアジャスター（５１）と、を備え、
各連結部材（４１）は、
前記横フレーム（１１）に固定される固定部（４２）と、
前記縦フレーム（２１）の上部に接続され、前記縦フレーム（２１）を回動可能に支持する回動部（４３）と、を含み、
各アジャスター（５１）により前記壁面と各縦フレーム（２１）の下部との前記間隔を調整することにより、前記回動部（４３）に接続された前記縦フレーム（２１）の上部を中心にして各縦フレーム（２１）が回動する、室外機据付台。
【請求項２】
各縦フレーム（２１）は、前側に位置する前壁部（２２）及び両サイドの側壁部（２３，２４）を少なくとも有する溝形状又は管形状のフレームであり、
各連結部材（４１）の前記回動部（４３）は、軸方向が前記横フレーム（１１）に略平行な円柱形状を有し、前記縦フレーム（２１）における前記両サイドの側壁部（２３，２４）の間に配置されており、
各縦フレーム（２１）における両サイドの側壁部（２３，２４）は、前記回動部（４３）における軸方向の両サイドの端部（４３ａ，４３ｂ）にそれぞれ接続されている、請求項１に記載の室外機据付台。
【請求項３】
各連結部材（４１）の前記回動部（４３）は、前記軸方向の両サイドの端部（４３ａ，４３ｂ）から前記軸方向に沿ってそれぞれ設けられたねじ挿入穴（４６）を有し、
各縦フレーム（２１）における両サイドの側壁部（２３，２４）は、前記ねじ挿入穴（４６）に対応する位置にそれぞれ設けられた貫通孔を有し、各貫通孔に挿通されて前記ねじ挿入穴（４６）に挿入されたねじによって前記回動部（４３）の端部に接続されており、
前記回動部（４３）は、一方の端部が一方の側壁部（２３）の内面に当接し、他方の端部が他方の側壁部（２４）の内面に当接している、請求項２に記載の室外機据付台。
【請求項４】
各縦フレーム（２１）の上部は、前記壁面との間に所定の隙間をあけて配置されている、請求項１〜３のいずれか１項に記載の室外機据付台。
【発明の詳細な説明】
【技術分野】
【０００１】
本発明は、空気調和装置の室外機を壁面に据え付けるための室外機据付台に関する。
【背景技術】
【０００２】
従来から、空気調和装置の室外機をビルや住居の壁面などに固定する際には、室外機を載置して固定可能な室外機据付台が用いられている。この室外機据付台としては、例えば、壁面に沿って略水平に配置されて前記壁面に固定される横フレームと、この横フレームから下方に延び、互いに所定の間隔をあけて配置される一対の縦フレームと、これらの縦フレームの下部に固定され、前方に延びる一対のアームとを備えたものが知られている（例えば特許文献１の図５）。
【０００３】
しかし、室外機据付台に据え付けられる室外機は重量物であるので、前記縦フレームや前記アームが室外機の重みによって僅かに変形し、室外機が僅かに傾斜して配置されることがある。
【０００４】
そこで、例えば特許文献１には、据え付けられた室外機の傾きを調整するレベル調整機構を備えた室外機据付台が開示されている。この室外機据付台は、前記縦フレームの下端部からアームの先端部の方向に斜め上方にそれぞれ延びる一対の斜めフレームをさらに備えている。各斜めフレームは、対応するアームの側面に固定されている（特許文献１の図１，６，７）。この室外機据付台では、アームに対して斜めフレームが固定される位置をアームの長手方向に変えることにより、アームの先端部の高さが調整できる、とされている。
【先行技術文献】
【特許文献】
【０００５】
【特許文献１】特開平８−５１０３号公報
【発明の概要】
【発明が解決しようとする課題】
【０００６】
特許文献１の室外機据付台では、各アームがその下から斜めフレームによって支持される構造であり、斜めフレームは、縦フレームの下端部とアームの先端部との間に架け渡されている。したがって、各縦フレームは、アームの基端部が固定されている部分よりもさらに下方に延設されている必要がある。すなわち、各縦フレームは、アームの基端部が固定されている部分から、斜めフレームの基端部が固定されている部分まで延設されている必要がある。その結果、その分だけ各縦フレームの長さが大きくなり、それに伴って室外機据付台全体のサイズも大型化するという問題がある。
【０００７】
本発明は、上記の問題を解決するためになされたもので、据え付けられる室外機の傾きの調整が可能であり、しかも室外機据付台のサイズが大型化するのを抑制できる室外機据付台を提供することを目的とする。
【課題を解決するための手段】
【０００８】
本発明の室外機据付台は、壁面に室外機を据え付けるためのものである。前記室外機据付台は、略水平に配置されて前記壁面に固定される横フレーム（１１）と、前記横フレーム（１１）から下方に延び、所定の間隔をあけて互いに略平行に配置された一対の縦フレーム（２１）と、各縦フレーム（２１）を前記横フレーム（１１）にそれぞれ連結する一対の連結部材（４１）と、各縦フレーム（２１）の下部から前方に延び、基端部が前記縦フレーム（２１）の下部に固定された一対のアーム（３１）と、各縦フレーム（２１）の下部に設けられ、前記壁面と各縦フレーム（２１）の下部との間隔をそれぞれ調整可能な一対のアジャスター（５１）と、を備えている。各連結部材（４１）は、前記横フレーム（１１）に固定される固定部（４２）と、前記縦フレーム（２１）の上部に接続され、前記縦フレーム（２１）を回動可能に支持する回動部（４３）と、を含む。各アジャスター（５１）により前記壁面と各縦フレーム（２１）の下部との前記間隔を調整することにより、前記回動部（４３）に接続された前記縦フレーム（２１）の上部を中心にして各縦フレーム（２１）が回動する。
【０００９】
この構成では、各アジャスター（５１）により前記壁面と各縦フレーム（２１）の下部との間隔をそれぞれ個別に調整することにより、連結部材（４１）の回動部（４３）に接続された縦フレーム（２１）の上部を中心にして各縦フレーム（２１）をそれぞれ所望の方向に所望の角度だけ回動させることができる。これにより、各縦フレーム（２１）に基端部が固定されたアーム（３１）の傾きをそれぞれ個別に変えることができるので、室外機の傾きを調整し、その状態で室外機を固定することができる。しかも、本構成の室外機据付台では、上記のような傾き調整のための機構を備えているので、従来のようなアームを支持する斜めフレームは不要であり、サイズが大型化するのを抑制することもできる。
【００１０】
また、各縦フレーム（２１）は、前側に位置する前壁部（２２）及び両サイドの側壁部（２３，２４）を少なくとも有する溝形状又は管形状のフレームであり、各連結部材（４１）の前記回動部（４３）は、軸方向が前記横フレーム（１１）に略平行な円柱形状を有し、前記縦フレーム（２１）における前記両サイドの側壁部（２３，２４）の間に配置されており、各縦フレーム（２１）における両サイドの側壁部（２３，２４）は、前記回動部（４３）における軸方向の両サイドの端部にそれぞれ接続されているのが好ましい。
【００１１】
この構成では、前記回動部（４３）は、軸方向が前記横フレーム（１１）に略平行な円柱形状を有しているので、回動部（４３）の中心軸を中心にして縦フレーム（２１）を回動させる際に、縦フレーム（２１）の前壁部（２２）に接触しにくく（干渉しにくく）、縦フレーム（２１）の回動の邪魔になりにくい構造である。これにより、縦フレーム（２１）をスムーズに回動させることができる。しかも、回動部（４３）が縦フレーム（２１）に干渉しにくい構造であることによって、縦フレーム（２１）の回動範囲を大きくすることができるので、室外機の傾きの調整範囲も大きくなる。
【００１２】
各連結部材（４１）の前記回動部（４３）は、前記軸方向の両サイドの端部から前記軸方向に沿ってそれぞれ設けられたねじ挿入穴（４６）を有し、各縦フレーム（２１）における両サイドの側壁部（２３，２４）は、前記ねじ挿入穴（４６）に対応する位置にそれぞれ設けられた貫通孔を有し、各貫通孔に挿通されて前記ねじ挿入穴（４６）に挿入されたねじによって前記回動部（４３）の端部に接続されており、前記回動部（４３）は、一方の端部が一方の側壁部（２３）の内面に当接し、他方の端部が他方の側壁部（２４）の内面に当接しているのが好ましい。
【００１３】
この構成のように、前記回動部（４３）の一方の端部が一方の側壁部（２３）の内面に当接し、他方の端部が他方の側壁部（２４）の内面に当接しており、縦フレーム（２１）における両サイドの側壁部（２３，２４）と回動部（４３）における軸方向の端部とがねじによって螺合される場合には、回動部（４３）が上記のようにスペーサとして機能する。これにより、螺合時における前記側壁部（２３，２４）の変形を抑制することができる。
【００１４】
また、各縦フレーム（２１）の上部は、前記壁面との間に所定の隙間をあけて配置されているのが好ましい。
【００１５】
この構成では、各縦フレーム（２１）の上部が前記壁面との間に所定の隙間をあけて配置されているので、各アジャスター（５１）の調整により、各縦フレーム（２１）を後方にも回動させることが可能になる。
【発明の効果】
【００１６】
本発明によれば、据え付けられる室外機の傾きの調整が可能であり、しかも室外機据付台のサイズが大型化するのを抑制できる室外機据付台を提供することができる。
【図面の簡単な説明】
【００１７】
【図１】本発明の一実施形態に係る室外機据付台を示す斜視図である。
【図２】前記室外機据付台を壁面に取り付けた状態を示す側面図である。
【図３】（Ａ）は、前記室外機据付台の横フレームを示す側面図であり、（Ｂ）は、その正面図である。
【図４】前記室外機据付台において、前記横フレームと縦フレームが前記連結部材により連結された連結部分の構造を示す断面図である。
【図５】前記横フレームと金属板との位置関係を示す概略正面図である。
【図６】図４のＶＩ−ＶＩ線断面図である。
【図７】（Ａ）は、前記室外機据付台の連結部材を示す側面図であり、（Ｂ）は、その正面図である。
【図８】前記室外機据付台において、前記縦フレームの下端部に設けられたアジャスターの構造を示す側面図である。
【発明を実施するための形態】
【００１８】
以下、本発明の一実施形態に係る室外機据付台１について図面を参照して説明する。本実施形態の室外機据付台１は、６０ｋｇを超えるような大型の室外機、例えば１００〜１５０ｋｇ程度の大型の室外機を据え付けることができるタイプである。
【００１９】
図１及び図２に示すように、室外機据付台１は、横フレーム１１と、一対の縦フレーム２１と、一対の連結部材４１と、一対のアーム３１と、一対のアジャスター５１とを備えている。横フレーム１１、縦フレーム２１及び連結部材４１は、例えばアルミニウムなどの金属を押出成形することにより得られる。
【００２０】
横フレーム１１は、壁面Ｗに沿って略水平方向に配置された状態で壁面Ｗに固定されている。図３（Ａ），（Ｂ）に示すように、横フレーム１１は、大きく分けて上下２つの部位１２，１３を有している。すなわち、横フレーム１１は、ボルトＢを挿通するための長孔１４が複数形成された壁面固定部１２と、この壁面固定部１２の下方に位置し、ボルトＢを係合可能なレール部１３とを有している。壁面固定部１２は、図３（Ａ）に示すように扁平な形状を有している。レール部１３は、壁面固定部１２よりも前方Ｆに突出した形状を有している。
【００２１】
各長孔１４は、鉛直方向よりも水平方向の方が長い形状を有している。図１及び図２に示すように、横フレーム１１は、ワッシャ６３を介して各長孔１４に挿通されたアンカーボルトなどのボルトＢによって壁面Ｗに固定される。
【００２２】
横フレーム１１は、図３（Ａ）に示すように、２つの閉断面（側面視において閉じられた空間を有する環状の断面）が形成された部位を含む構造を有している。具体的には、一方の閉断面１５は、複数の長孔１４が水平方向に並ぶ領域の上方に位置している。他方の閉断面１６は、複数の長孔１４が水平方向に並ぶ領域の下方に位置している。このように横フレーム１１は、壁面Ｗに対面する部分に複数の閉断面を有していることにより、剛性が高められている。
【００２３】
レール部１３は、閉断面１６が形成された部位の前方Ｆの部位に、側面視で略Ｃ形の溝部１８を有している。この溝部１８は、レール部１３の前側の上端縁から下方に延設された上側前壁部１３ａと、レール部１３の前側の下端縁から上方に延設された下側前壁部１３ｂとを有している。上側前壁部１３ａと下側前壁部１３ｂは、ボルトＢのねじ部Ｂ２を挿通可能な程度の距離を隔てて配置されており、これらの上側前壁部１３ａと下側前壁部１３ｂとの間に開口部１３ｃが形成されている。
【００２４】
この開口部１３ｃは、水平方向に沿って形成されており、レール部１３の高さ方向の中央付近に位置している。開口部１３ｃは、図３（Ｂ）に示すように水平方向のほぼ中央付近に、他の部位よりも開口面積の大きな部位１３ｄを有している。この部位１３ｄは、例えばボルトＢの頭部Ｂ１をレール部１３内に挿入する際などに利用される。
【００２５】
この溝部１８には、図４に示すようにボルトＢの頭部Ｂ１が配置されている。このボルトＢのねじ部Ｂ２は、開口部１３ｃを通じて前方Ｆに突出し、レール部１３の外部に配置されている。開口部１３ｃは水平方向に連続して形成されているので、開口部１３ｃに沿ったレール部１３の任意の位置（部位１３ｄの部位を除く）に、ボルトＢを配置することができる。
【００２６】
また、図４及び図５に示すように、レール部１３において、ボルトＢの頭部Ｂ１と、上側前壁部１３ａ及び下側前壁部１３ｂとの間には、長方形の金属板６１が配置されている。この金属板６１は、そのほぼ中央に貫通孔６１ａを有している。この貫通孔６１ａにはボルトＢのねじ部Ｂ２が挿通される。このような金属板６１が配置されていることにより、図４に示すように、後述する連結部材４１が固定される部位においては、レール部１３における閉断面１６の前方Ｆに、閉断面１７をさらに形成することができる。これにより、横フレーム１１と連結部材４１との連結部分の剛性がさらに高められている。
【００２７】
なお、本実施形態では、水平方向に配設されたフレームは、横フレーム１１のみであるので、例えば横フレームが上下に２本設けられているような場合と比べて、縦フレーム２１の下部側の部位がより動きやすくなる。これにより、縦フレーム２１ごとに個別に回動させて室外機の傾きを精度よく調整することができる。
【００２８】
一対の縦フレーム２１は、横フレーム１１から下方に延び、所定の間隔をあけて互いに略平行に配置されている。本実施形態では、各縦フレーム２１の上下方向の長さは、例えば１００〜１５０ｋｇ程度の大型の室外機を据え付ける従来の据付台と比べて、短めに設計されている。これにより、材料コストを低減できるとともに、室外機を載置した状態でのモーメントが小さくなるので、耐久性の点でも有利である。
【００２９】
図１、図２及び図６に示すように、各縦フレーム２１は、前方Ｆに位置する前壁部２２及びその両サイドに位置する側壁部２３，２４を有する溝形のフレーム（断面がＵ字形状のフレーム）である。各縦フレーム２１は、その上部が連結部材４１により横フレーム１１に連結されている。図６に示すように、各縦フレーム２１における両サイドの側壁部２３，２４は、後述する連結部材４１の回動部４３と接続するためのボルトＢを挿通する貫通孔２３ａ，２４ａを有している。
【００３０】
図４に示すように、各縦フレーム２１の上部は、壁面Ｗとの間に所定の隙間Ｇをあけて配置されている。具体的には、回動部４３が接続される高さ位置において、各縦フレーム２１と壁面Ｗとの間には、所定の隙間Ｇが設けられている。これにより、後述する各アジャスター５１の調整により、各縦フレーム２１を後方Ｒにも回動させることが可能になる。
【００３１】
図７（Ａ），（Ｂ）に示すように、各連結部材４１は、横フレーム１１に固定される固定部４２と、縦フレーム２１の上部に接続され、縦フレーム２１を回動可能に支持する回動部４３とを含む。
【００３２】
固定部４２は、横フレーム１１の上側前壁部１３ａ及び下側前壁部１３ｂの前面に当接する平板状の平板部４２ａと、この平板部４２ａの上縁から、横フレーム１１のレール部１３の上面に沿って後方Ｒに延びる上側フランジ部４２ｂと、平板部４２ａの下縁から、横フレーム１１のレール部１３の下面に沿って後方Ｒに延びる下側フランジ部４２ｃとを含む。この固定部４２は、平板部４２ａのほぼ中央に貫通孔４２ｄを有している。
【００３３】
図４に示すように、固定部４２は、レール部１３の溝部１８に配置されたボルトＢのねじ部Ｂ２が貫通孔４２ｄに挿通され、このねじ部Ｂ２にワッシャ６３を介してナットＮが螺合されることにより、横フレーム１１に固定される。
【００３４】
回動部４３は、固定部４２の下方に位置し、固定部４２と一体に成形されている。回動部４３は、軸方向Ａの幅が固定部４２とほぼ同じである。回動部４３は、その軸方向Ａが横フレーム１１に略平行な円柱形状を有している。回動部４３は、その内部に、軸方向Ａに沿って形成された貫通孔（ねじ挿入穴）４６を有している。この貫通孔４６には、縦フレーム２１との接続用の通しボルトであるボルトＢのねじ部Ｂ２が挿入される。
【００３５】
本実施形態では、連結部材４１が固定部４２と回動部４３とを有しているので、固定部４２に対する回動部４３の相対位置（前後方向の位置関係）を適宜変更することによって、縦フレーム２１と壁面Ｗとの位置関係も調整することができる。具体的には、本実施形態では、回動部４３は、固定部４２よりも前側に出っ張った位置に設けられている（図７（Ａ）参照）。回動部４３の中心軸Ｃを通る鉛直面Ｓ１は、前後方向において、固定部４２の平板部４２ａを含む鉛直面Ｓ２とほぼ同じ位置にあるか、鉛直面Ｓ２よりも前方Ｆに位置している。
【００３６】
このように回動部４３が固定部４２よりも前方Ｆに配置されている場合には、この回動部４３に接続される縦フレーム２１の位置も前方Ｆ寄りに配置できるので、縦フレーム２１と壁面Ｗとの距離をある程度確保することができる。これにより、後述するアジャスター５１による縦フレーム２１の回動範囲、特に後方Ｒ側への回動範囲をより大きくすることができる。
【００３７】
図６に示すように、回動部４３は、縦フレーム２１における両サイドの側壁部２３，２４の間に配置されている。回動部４３の軸方向Ａは、横フレーム１１の長手方向に略平行であり、側壁部２３及び側壁部２４に略垂直である。
【００３８】
図６は、ボルトＢとナットＮによって回動部４３と縦フレーム２１とが仮止めされた状態を示している。本実施形態では、回動部４３の軸方向Ａの長さＬ１は、縦フレーム２１の側壁部２３の内面と側壁部２４の内面との距離Ｌ２よりも若干小さいので、前記仮止めの状態では、回動部４３と側壁部２３，２４の内面との間に若干の隙間が形成されている。そして、後述するアジャスター５１により縦フレーム２１の位置が調整された後、図６に示すボルトＢをさらに締め付ける方向に回転させることにより、側壁部２３，２４が回動部４３の端部にそれぞれ当接するまで内側に僅かに弾性変形する。これにより、縦フレーム２１が固定部４３に固定される。この状態では、回動部４３の端部４３ａとボルトＢの頭部Ｂ１とで側壁部２３を挟持し、回動部４３の端部４３ｂとナットＮとで側壁部２４を挟持している。頭部Ｂ１と側壁部２３との間、及びナットＮと側壁部２４との間には、ワッシャ６３がそれぞれ介在している。
【００３９】
なお、本実施形態では、回動部の長さＬ１が側壁部２３，２４の内面間の距離Ｌ２よりも若干小さい場合を例示しているが、側壁部２３，２４は前壁部２２に対してある程度弾性変形可能であるので、長さＬ１が距離Ｌ２よりも若干大きく設計されていてもよい。
【００４０】
ここで、「長さＬ１が距離Ｌ２よりも若干小さい、又は若干大きい」とは、次のようなことを意味している。すなわち、ボルトＢによって固定された状態において、側壁部２３，２４の弾性変形の度合いが外観上ほとんど支障なく、側壁部２３，２４の弾性変形に起因する強度面の性能低下もほとんど見られない範囲のことをいう。
【００４１】
上記したように、本実施形態では、回動部４３は、ボルトＢにより縦フレーム２１の位置（角度）が固定された状態においては、一方の端部４３ａが側壁部２３の内面に当接し、他方の端部４３ｂが側壁部２４の内面に当接している。したがって、回動部４３は、ボルトＢの螺合時における側壁部２３，２４の過度の変形を抑制するスペーサとして機能している。
【００４２】
また、図６に示すように、回動部４３は、回動部４３に対して縦フレーム２１が回動する際に、前壁部２２の内面に接触しない程度に前壁部２２と離隔して配置されている。本実施形態では、回動部４３が円柱形状であるので、縦フレーム２１が回動しても、回動部４３の表面（曲面）と前壁部２２の内面との距離はほとんど変化がない。したがって、この室外機据付台１は、前記回動時に縦フレーム２１と回動部４３とが接触しにくい構造である。
【００４３】
一対のアーム３１は、各縦フレーム２１の下部から前方に延びている。各アーム３１の基端部は、対応する縦フレーム２１の下部に固定されている。これらのアーム３１には図略の室外機が載置される。
【００４４】
アーム３１は、上壁部３２と、この上壁部３２の両サイドから下方に延設された側壁部３３，３４と、上壁部３２の前方Ｆの縁から下方に延設された前壁部３５とを含む。アーム３１の基端部には、縦フレーム２１の形状に適合するように、上壁部３２の一部が切り欠かれた凹部が形成されている。側壁部３３の基端部には、縦フレーム２１の側壁部２３に固定するためのボルトＢを挿通する図略の貫通孔が上下に２つ形成されている。側壁部３４にも同様の貫通孔が上下に２つ形成されている。各ボルトＢは、縦フレーム２１の側壁部２３，２４の内面側の部位に配置された図略のナットに螺合されている。
【００４５】
このように本実施形態では、アーム３１の傾斜を調整する機構として、縦フレーム２１を回動部４３に対して回動可能な構成としており、アーム３１を縦フレーム２１に対して回動させる必要がないので、アーム３１の各側壁部３３，３４を複数のボルトＢによって縦フレーム２１にそれぞれ固定することができる。これにより、縦フレーム２１とアーム３１との接続部分の強度が高い。
【００４６】
アーム３１の上壁部３２には、前後方向の２箇所に、ゴムなどの弾性材料によって形成された緩衝部材７１が配設されている。各緩衝部材７１の配設位置は、上壁部３２に形成された長孔３６の範囲であれば前後方向に調整可能である。
【００４７】
図２及び図８に示すように、各アジャスター５１は、縦フレーム２１の下端部における前壁部２２又は側壁部２３，２４の内面などに固定されたねじ座８１と、このねじ座８１に配置されたナット８２と、このナット８２に螺合されて前後方向に延びるねじ部材８３と、このねじ部材８３の後方Ｒの端部に固定された円盤状の平板部８４と、この平板部８４及びねじ部材８３の後方Ｒの端部を被覆するゴム状の弾性部材８５とを有している。
【００４８】
各アジャスター５１のねじ部材８３を回動させて前進又は後退させることにより、壁面Ｗと縦フレーム２１の下部との間隔を調整することができる。この間隔の調整は、アジャスター５１ごとに個別に行うことができる。室外機内に収容されている圧縮機などの配置によっては一対のアジャスター５１にかかる荷重が一方に偏ることがあるが、本実施形態では、アジャスター５１ごとに前記間隔を調整できるので、室外機の傾きを精度よく調整可能である。
【００４９】
例えば、ねじ部材８３を回動させることによりねじ部材８３をナット８２に対して前方Ｆに移動させると、対応する縦フレーム２１は、回動部４３の中心軸Ｃを中心に回動し、縦フレーム２１が後方Ｒに移動して壁面Ｗに近づく。このとき、縦フレーム２１は、中心軸Ｃを中心に回動するので、主に縦フレーム２１の下部が後方Ｒに移動し、それに伴ってアーム３１の先端部が僅かに下方に移動する。
【００５０】
一方、ねじ部材８３を回動させることによりねじ部材８３をナット８２に対して後方Ｒに移動させると、対応する縦フレーム２１は、回動部４３の中心軸Ｃを中心に回動し、縦フレーム２１が前方Ｒに移動して壁面Ｗから遠ざかる。このとき、縦フレーム２１は、中心軸Ｃを中心に回動するので、主に縦フレーム２１の下部が前方Ｆに移動し、それに伴ってアーム３１の先端部が僅かに上方に移動する。
【００５１】
以上説明したように、本実施形態では、各アジャスター５１により壁面Ｗと各縦フレーム２１の下部との間隔をそれぞれ個別に調整することにより、連結部材４１の回動部４３に接続された縦フレーム２１の上部を中心にして各縦フレーム２１をそれぞれ所望の方向に所望の角度だけ回動させることができる。これにより、各縦フレーム２１に基端部が固定されたアーム３１の傾きをそれぞれ個別に変えることができるので、室外機の傾きを調整することができる。しかも、本構成の室外機据付台では、上記のような傾き調整のための機構を備えているので、従来のようなアーム３１を支持する斜めフレームは不要であり、サイズが大型化するのを抑制することもできる。
【００５２】
また、本実施形態の室外機据付台１は、６０ｋｇを超えるような大型の室外機、例えば１００〜１５０ｋｇ程度の大型の室外機を据え付けることができるタイプであり、フレームなどの各部品自体の剛性が高められている。したがって、アームの傾きを調整するために、従来のようにフレーム自体を弾性変形させるのは困難である。このように大型の室外機用の据付台においては、フレーム自体を弾性変形させる必要のない本実施形態のような傾き調整の機構が特に適している。
【００５３】
また、本実施形態では、回動部４３は、軸方向Ａが横フレーム１１に略平行な円柱形状を有しているので、回動部４３の中心軸Ａを中心にして縦フレーム２１を回動させる際に、縦フレーム２１の前壁部２２に接触しにくく（干渉しにくく）、縦フレーム２１の回動の邪魔になりにくい構造である。これにより、縦フレーム２１をスムーズに回動させることができる。しかも、回動部が縦フレーム２１に干渉しにくい構造であることによって、縦フレーム２１の回動範囲を大きくすることができるので、室外機の傾きの調整範囲も大きくなる。
【００５４】
また、本実施形態では、回動部４３の一方の端部４３ａが側壁部２３の内面に当接し、他方の端部４３ｂが側壁部２４の内面に当接しており、縦フレーム２１における両サイドの側壁部２３，２４と回動部４３における軸方向Ａの端部４３ａ，４３ｂとがボルトＢによって螺合される場合には、回動部４３が上記のようにスペーサとして機能する。これにより、螺合時における側壁部２３，２４の変形を抑制することができる。
【００５５】
また、本実施形態では、回動部４３の中心軸Ａが固定部４２の表面よりも前方に位置しているので、この回動部４３に接続される縦フレーム２１の位置も前方Ｆ寄りに配置できる。これにより、縦フレーム２１と壁面Ｗとの距離をある程度大きく確保することができるので、アジャスター５１による縦フレーム２１の回動範囲をより大きくすることができる。
【００５６】
以上、本発明の実施形態について説明したが、本発明は、上記各実施形態に限られるものではなく、その趣旨を逸脱しない範囲で種々変更、改良等が可能である。
【００５７】
例えば、前記実施形態では、１００〜１５０ｋｇ程度の大型の室外機を据え付け可能な室外機据付台を例に挙げて説明したが、本発明の室外機据付台は、例えば６０ｋｇ以下の室外機を据え付ける場合にも適用可能である。
【００５８】
また、前記実施形態では、回動部４３の中心軸Ｃを通る鉛直面Ｓ１が、前後方向において、固定部４２の平板部４２ａを含む鉛直面Ｓ２とほぼ同じ位置にあるか、鉛直面Ｓ２よりも前方Ｆに位置している場合を例示したが、鉛直面Ｓ１が鉛直面Ｓ２よりも後方Ｒに位置していてもよい。
【００５９】
また、前記実施形態では、回動部４３の端部４３ａ，４３ｂが側壁部２３，２４の内面にそれぞれ当接する場合を例示したが、端部４３ａ，４３ｂは側壁部２３，２４の内面と離隔した状態であってもよい。
【００６０】
また、前記実施形態では、縦フレームが溝形である場合を例示したが、後方側にも壁部を有する管形状であってもよい。
【００６１】
また、前記実施形態では、回動部が円柱形状である場合を例示したが、これに限定されない。回動部は、例えば断面が楕円形、多角形などの形状であってもよい。
【００６２】
また、前記実施形態では、図６に示すように回動部４３のねじ挿入穴が貫通孔であり、この貫通孔に通しボルトＢが挿入され、このボルトＢのねじ部Ｂ２がナットＮに螺合される場合を例示したが、これに限定されない。例えば、回動部４３のねじ挿入穴の内面にめねじが切られている場合には、二本のボルトを用いて回動部４３と縦フレーム２１を接続することができる。すなわち、この場合には、一方のボルトを側壁部２３の貫通孔２３ａに挿通し、ねじ挿入穴のめねじに螺合し、他方のボルトを側壁部２４の貫通孔２４ａに挿通し、ねじ挿入穴のめねじに螺合すればよい。
【００６３】
また、このように二本のボルトを用いる場合には、回動部４３のねじ挿入穴は貫通孔でなくてもよい。すなわち、この場合、回動部４３は、その一方の端部４３ａから軸方向Ａに沿って形成されたねじ穴と、他方の端部４３ｂから軸方向Ａに沿って形成されたねじ穴とを有していればよく、これらのねじ穴が連通していなくてもよい。
【符号の説明】
【００６４】
１  室外機据付台
１１  横フレーム
１２  壁面固定部
１３  レール部
２１  縦フレーム
２２  前壁部
２３，２４  側壁部
３１  アーム
４１  連結部材
４２  固定部
４３  回動部
４３ａ，４３ｂ  回動部の端部
５１  アジャスター
【図１】
2011247533.tif 000003
【図２】
2011247533.tif 000004
【図３】
2011247533.tif 000005
【図４】
2011247533.tif 000006
【図５】
2011247533.tif 000007
【図６】
2011247533.tif 000008
【図７】
2011247533.tif 000009
【図８】
2011247533.tif 000010